(57)【特許請求の範囲】
【請求項１】
所定の粒度構成の砂に繊維チップとフェルトチップを配合して乗馬用馬場やサッカー場、野球場、法面等を形成する乗馬用馬場やサッカー場等のグランドであって、
乗馬用馬場やサッカー場等のグランドの形成にあたってそのグランドの砂の粒度構成に対して所定の混合比率の繊維チップとフェルトチップを所定量配合するとともに、フェルトチップの飛散を防止してグランドが早期に馴染むようにするために、水に浸漬して加圧して圧縮されたフェルトチップを配合してグランドを形成することを特徴とする乗馬用馬場やサッカー場等のグランド。
【請求項２】
所定の地域の乗馬用馬場やサッカー場等の砂の粒度構成に対応して、長さ１０〜１００ｍｍの繊維チップと厚さが０．２〜５ｍｍ、幅５〜３０ｍｍ、長さ５〜７０ｍｍのフェルトチップの適切な混合比率の配合量の基準を定め、
乗馬用馬場やサッカー場等のグランドの形成にあたってそのグランドの砂の粒度構成に対して基準にもとづいて上記所定の混合比率の廃材の繊維チップと廃材のフェルトチップを所定量配合してグランドを形成する請求項１に記載の乗馬用馬場やサッカー場等のグランド。
【請求項３】
乗馬用馬場やサッカー場等のグランドの砂の粒度構成にワセリン０．０２〜０．１重量％添加した請求項１または２に記載の乗馬用馬場やサッカー場等のグランド。
【請求項４】
所定の粒度構成の砂に繊維チップとフェルトチップを配合して形成する乗馬用馬場であって、
乗馬用馬場の形成にあたってそのグランドの砂の粒度構成に対して所定の混合比率の繊維チップとフェルトチップを所定量配合するとともに、フェルトチップの飛散を防止してグランドが早期に馴染むようにするために、水に浸漬して加圧して圧縮されたフェルトチップを配合して形成することを特徴とする乗馬用馬場。
【請求項５】
所定の地域の馬場用の砂の粒度構成に対応して繊維チップとフェルトチップの適切な混合比率の配合量の基準を定め、
馬場の形成にあたってその馬場用の砂の粒度構成に対して基準にもとづいて所定の混合比率の長さ１０〜１００ｍｍの廃材の繊維チップと厚さ０．２〜５ｍｍ、幅５〜３０ｍｍ、長さ５〜７０ｍｍの廃材のフェルトチップを所定量配合して馬場を形成する請求項４に記載の乗馬用馬場。
【発明の詳細な説明】
【技術分野】
【０００１】
本発明は、スポーツ分野等における乗馬用馬場やサッカー場、野球場等を形成する乗馬
用馬場やサッカー場等のグランドに関するものである。
【背景技術】
【０００２】
近年、競馬場の馬場は、所定の砕石構造の敷石の上に乗馬用マット等を敷設し、さらに
その上にウッドチップ入りの混合砂や、洗い川砂、ヤシ繊維入りの混合砂、フェルト入り
の混合砂等を積層したりして形成している。
【０００３】
しかし、ウッドチップ入りの混合砂は、排水性やクッション性はよいものの、ウッドチ
ップが腐りやすく、また虫がわいたり、カビが発生しやすくて、５年毎に入れ替える必要
がある。
また、洗い川砂は、排水性は良いものの、馬場が固くなりやすくて馬の足に負担がかか
りやすく、定期的なメンテナンスが不可欠である。
【０００４】
さらに、ヤシ繊維入りの混合砂は、排水性やクッション性はよいものの、ヤシ繊維の劣
化により馬場マットのグリップ力が低下し、ヤシ繊維が腐る前に入れ替えが必要となる。
またさらに、フェルト入りの混合砂は、排水性やクッション性はよく、フェルトは人や
馬に安全な素材でアテネオリンピックでも採用されている。しかし、各地の馬場での砂の
粒度構成が相違しているので、フェルトの配合量をそれぞれ決定する必要があり、また馬
場が馬に馴染むのに時間がかかるものであった。
【０００５】
そこで、先行特許調査した結果、特開２００１−１４５７８７号公報や実開平５−３５
８８１号公報などが検索された。
特開２００１−１４５７８７号公報は、競馬場のダートコースにウレタンや合成ゴムな
どの合成樹脂に酸化チタンや硫酸バリウムなどの無機粉末材料を配合した比重２．５の弾
性チップの烏賊状あるいは挽肉状に変形したものを混合し、馬の足抜き性を良くし、馬の
目に損傷を与えないようにすることを提案している。
【０００６】
また、実開平５−３５８８１号公報は、競馬場の馬場に嵩高不織布の繊維骨格を入り込
むことが提案されている。しかし、繊維間の結合が分離して充填した土をつなぐ補強効果
をはかれるが、土中で繊維の結合が切れないようにその均一な補強効果を発揮させるため
に水溶性樹脂などの結合剤を散布して整備する必要があった。
【特許文献１】特開２００１−１４５７８７号公報
【特許文献２】実開平５−３５８８１号公報
【０００７】
また、サッカー場や野球場でも、クッション性がよく、蹴上がりの少ない、グリップ性
のよい芝面が必要とされているとともに、芝面の保全や維持のやさしいグランドが要望さ
れていた。
【発明の開示】
【発明が解決しようとする課題】
【０００８】
本発明は、各地の乗馬用馬場やサッカー場等での砂の粒度構成の対応に手間取ることな
く、排水性やクッション性、グリップ性の形成が難しくなく、またその維持も難しくない
グランドを形成することにある。
【課題を解決するための手段】
【０００９】
本発明は、上記のような点に鑑みたもので、上記の課題を解決するために、所定の粒度構成の砂に繊維チップとフェルトチップを配合して乗馬用馬場やサッカー場、野球場、法面等を形成する乗馬用馬場やサッカー場等のグランドであって、乗馬用馬場やサッカー場等のグランドの形成にあたってそのグランドの砂の粒度構成に対して所定の混合比率の繊維チップとフェルトチップを所定量配合するとともに、フェルトチップの飛散を防止してグランドが早期に馴染むようにするために、水に浸漬して加圧して圧縮されたフェルトチップを配合してグランドを形成することを特徴とする乗馬用馬場やサッカー場等のグランドを提供するにある。
【００１０】
また、所定の地域の乗馬用馬場やサッカー場等の砂の粒度構成に対応して、長さ１０〜１００ｍｍの繊維チップと厚さが０．２〜５ｍｍ、幅５〜３０ｍｍ、長さ５〜７０ｍｍのフェルトチップの適切な混合比率の配合量の基準を定め、乗馬用馬場やサッカー場等のグランドの形成にあたってそのグランドの砂の粒度構成に対して基準にもとづいて上記所定の混合比率の廃材の繊維チップと廃材のフェルトチップを所定量配合してグランドを形成することを特徴とする請求項１に記載の乗馬用馬場やサッカー場等のグランドを提供するにある。
【００１１】
また、乗馬用馬場やサッカー場等のグランドの砂の粒度構成にワセリン０．０２〜０．１重量％添加したことを特徴とする乗馬用馬場やサッカー場等のグランドを提供するにある。
【００１２】
さらに、所定の粒度構成の砂に繊維チップとフェルトチップを配合して形成する乗馬用馬場であって、乗馬用馬場の形成にあたってそのグランドの砂の粒度構成に対して所定の混合比率の繊維チップとフェルトチップを所定量配合するとともに、フェルトチップの飛散を防止してグランドが早期に馴染むようにするために、水に浸漬して加圧して圧縮されたフェルトチップを配合して形成することを特徴とする乗馬用馬場を提供するにある。
【００１３】
さらにまた、所定の地域の馬場用の砂の粒度構成に対応して繊維チップとフェルトチップの適切な混合比率の配合量の基準を定め、馬場の形成にあたってその馬場用の砂の粒度構成に対して基準にもとづいて所定の混合比率の長さ１０〜１００ｍｍの廃材の繊維チップと厚さ０．２〜５ｍｍ、幅５〜３０ｍｍ、長さ５〜７０ｍｍの廃材のフェルトチップを所定量配合して馬場を形成することを特徴とする乗馬用馬場を提供するにある。
【発明の効果】
【００１４】
本発明の乗馬用馬場やサッカー場等のグランドは、所定の粒度構成の砂に繊維チップとフェルトチップを配合して乗馬用馬場やサッカー場、野球場、法面等を形成する乗馬用馬場やサッカー場等のグランドであって、乗馬用馬場やサッカー場等のグランドの形成にあたってそのグランドの砂の粒度構成に対して所定の混合比率の繊維チップとフェルトチップを所定量配合するとともに、フェルトチップの飛散を防止してグランドが早期に馴染むようにするために、水に浸漬して加圧して圧縮されたフェルトチップを配合してグランドを形成するので、芝の根がフェルトチップ、繊維チップに絡まって芝の活着がよくなり、特に馬場やサッカー場からフェルトチップの飛散防止がはかれた良好なグランドが早期に形成でき、人や馬等にやさしいグランドを形成できるとともに、その維持も容易なものである。
【００１５】
そして、特に所定の地域の乗馬用馬場やサッカー場等の砂の粒度構成に対応して、長さ１０〜１００ｍｍの繊維チップと厚さが０．２〜５ｍｍ、幅５〜３０ｍｍ、長さ５〜７０ｍｍのフェルトチップの適切な混合比率の配合量の基準を定め、乗馬用馬場やサッカー場等のグランドの形成にあたってそのグランドの砂の粒度構成に対して基準にもとづいて上記所定の混合比率の廃材の繊維チップと廃材のフェルトチップを所定量配合してグランドを形成することによって、ある地域のグランドの形成にあたっても、グランドの基準としての排水性、クッション性、グリップ性のよいものが安価で簡単にかつ繰り返し精度よく形成でき、しかも繊維チップとフェルトチップの適切な混合比率とするので、芝の根がフェルトチップ、繊維チップに絡まって芝の活着がよくなり、フェルトチップの飛散を防止して乗馬用馬場やサッカー場等のグランドが早期に馴染むようにするために、水に浸漬して加圧して圧縮されたフェルトチップを配合することによって、人や馬等にやさしい最高レベルのグランドを形成できるとともに、その維持も容易なものである。
【００１６】
また、乗馬用馬場やサッカー場等のグランドの砂の粒度構成にワセリン０．０２〜０．１重量％添加することによって、散水を軽減したり、散水をしなくてもよくなり、寒冷地や冬寒期での馬場が凍結するのを防止できる。
【００１７】
また、所定の粒度構成の砂に繊維チップとフェルトチップを配合して形成する乗馬用馬場であって、乗馬用馬場の形成にあたってそのグランドの砂の粒度構成に対して所定の混合比率の繊維チップとフェルトチップを所定量配合するとともに、フェルトチップの飛散を防止してグランドが早期に馴染むようにするために、水に浸漬して加圧して圧縮されたフェルトチップを配合して形成することによって、上記のように芝の根がフェルトチップ、繊維チップに絡まって芝の活着がよくなり、人や馬等にやさしいグランドを形成できるとともに、その維持も容易なものである。
【００１８】
さらに、所定の地域の馬場用の砂の粒度構成に対応して繊維チップとフェルトチップの適切な混合比率の配合量の基準を定め、馬場の形成にあたってその馬場用の砂の粒度構成に対して基準にもとづいて所定の混合比率の長さ１０〜１００ｍｍの廃材の繊維チップと厚さ０．２〜５ｍｍ、幅５〜３０ｍｍ、長さ５〜７０ｍｍの廃材のフェルトチップを所定量配合することによって、芝の根がフェルトチップ、繊維チップに絡まって芝の活着がよくなり、馬場の基準としての排水性、クッション性、グリップ性のよいものが安価で簡単に形成できて、特に馬場のグランドの形成に好ましいものである。
【発明を実施するための最良の形態】
【００１９】
本発明の乗馬用馬場やサッカー場等のグランドは、所定の粒度構成の砂に繊維チップとフェルトチップを配合して乗馬用馬場やサッカー場、野球場、法面等を形成する乗馬用馬場やサッカー場等のグランドであって、乗馬用馬場やサッカー場等のグランドの形成にあたってそのグランドの砂の粒度構成に対して所定の混合比率の繊維チップとフェルトチップを所定量配合するとともに、フェルトチップの飛散を防止してグランドが早期に馴染むようにするために、水に浸漬して加圧して圧縮されたフェルトチップを配合してグランドを形成することを特徴としている。
【００２０】
乗馬用馬場やサッカー場等のグランド１は、たとえば馬場について図１のように所定の
大きさの砕石２を１００〜３００ｍｍ厚さ敷設して、その上に乗馬用マット３を５０〜１
００ｍｍ位の厚さに積層し、表層に所定の砂４に繊維チップ５、フェルトチップ６を所定
量混合して８０〜１５０ｍｍ厚さに敷設し、馬場を排水性が良く、グリップ性も良く形成
できるようにしている。
【００２１】
上記砂４は、その馬場の地域の所定の粒度構成の砂や中国産の洗い川砂が用いられ、必
要により海砂や山砂、その他のものにも対応可能である。
【００２２】
繊維チップ５は、ウールやポリエステルのリサイクル可能な天然繊維や合成繊維の安価
に入手できる廃材を所定の長さに切断して単独または混合して使用でき、５０〜５００デ
ニールの太さのものを１０〜１００ｍｍの長さ、特に３０〜５０ｍｍの長さに裁断したチ
ップを混合することが好ましい。たとえば、ウールとポリエステルの混合比率は、５０／
５０、３０／７０、１００／０、０／１００とすることができる。また、チップの長さが
１０ｍｍ以下であると、馬場の所要のグリップ強度を出しにくくなる。また、１００ｍｍ
以上であると必要以上に砂４やフェルトチップ６と絡み付いて好ましくない。３０〜５０
ｍｍの長さに揃えるのが適切に絡み付いて好ましい。
【００２３】
また、フェルトチップ６も、ウールやポリエステルのリサイクル可能な天然繊維や合成
繊維の廃材を所定の長さに切断して単独または混合したものを使用でき、厚さが０．２〜
５ｍｍ位で、５〜３０ｍｍ幅、５〜７０ｍｍ長さの、特にこより状に捻じれているものを
混合することが好ましい。たとえば、ウールとポリエステルの混合比率は、５０／５０、
３０／７０、１００／０、０／１００とすることができる。フェルトは、人にも、馬にも
安全で優しい材料であり、上記のように裁断したものをグランド１の砂４に混入して安価
にグランド１のクッション性、安全性を向上できる。特に、雨天時に、繊維チップ５、フ
ェルトチップ６が砂４に絡んで、砂４の流出を抑えられ、コストの低減化がはかれる。０
．５〜３ｍｍ、１０〜１５ｍｍ、１０〜３０ｍｍの範囲にそろえるのが砂４や繊維チップ
５に適宜に絡まって馬場を良好に維持できて好ましい。
【００２４】
また、フェルトチップ６は、図２のように水を装填した浸漬槽に浸漬したりして、プレ
スで加圧してフェルトチップ６を２分の１〜５分の１に圧縮し、圧縮したフェルトチップ
６をほぐし、このことを２〜３回程繰り返したフェルトチップ６を砂４に混入することが
好ましい。このようにすることで、グランド１でフェルトチップ６が飛散するのを防止で
き、砂４との絡みがよくなり、安定したコンディションを得ることができる。
【００２５】
そのためには、たとえば図３のような波形状に連接した下ローラー７、上ローラー８を
対向したローラープレス９にフェルトチップ６を通過させて、図外の攪拌器を通過させ、
必要により２〜３回繰り返して、プレスし、ほぐして捻じれた状態に効率的に成形するこ
とができる。
【００２６】
出願人は、現在施設している馬場のグランド１について調査し、表１の馬場の砂に対して室内実験等を行ってその適正な配合基準について検討した結果は、次の通りである。
（１）１ｍｍ以下の中国産の川砂（表１のＷ５）で、砂厚８ｃｍとして２５ｋｇ／m3、繊維チップ／フェルトチップの割合５：５、２５ｋｇ／m2が好ましい。
（２）２ｍｍ以下の中国産の川砂（表１のＶＳ）で、砂厚８ｃｍとして２５ｋｇ／m3、繊維チップ／フェルトチップの割合３：７、２５ｋｇ／m2が好ましい。
（３）青森六ケ所村産の砂（表１の青森砂）で、砂厚８ｃｍとして１８．７５ｋｇ／m3、繊維チップ／フェルトチップの割合  ５：５、１．５ｋｇ／m2が好ましい。
【００２７】
表１    馬場の砂の粒度構成例
【表１】
0004764708.tif 000002
なお、ＰＡＮは２８０メッシュのふるいを通り抜ける量、ＡＩＳ−ＦＮは粒度指数で砂
の目の粗さの目安、ＦＭは粗粒率で粗めの砂の分量を表す。
【００２８】
なお、上記した馬場の砂２に対して、繊維チップ５、フェルトチップ６の混合に加えて
ワセリンを添加すると、散水を軽減したり、散水をしなくてもよくなり、寒冷地や冬寒期
での馬場が凍結するのを防止できる。ワセリンの添加量としては、砂１m3当
たり約４０〜１６０リットル（ほぼ０．０２〜０．１重量％）位が好ましい。
【００２９】
上記では、乗馬用練習場や競馬場の馬場のグランド１について説明したが、サッカー場
や野球場等のグランド、道路脇の法面などにも適用することができる。サッカー場や野球
場等のグランドの芝面に本発明を適用することにより、上記したように芝の根がフェルト
チップ、フェルト繊維に絡まって芝の活着がよくなり、クッション性がよくなって、蹴上
がりが少なくて、グリップの効きもよくなり、芝面の保全面の向上もはかれる。
また、道路脇の法面でも、芝の根が地面に埋設した網などを介してフェルトチップ、フ
ェルト繊維に絡まって芝の活着がよくなり、芝がずれ落ちなくなって、安定して維持でき
る。
【実施例】
【００３０】
上記の配合基準にもとづいて、たとえば図１のように所定の砕石２を１００ｍｍ敷設し
、乗馬用マット３を５０ｍｍ積層した上に、上記表１のＷ５の１ｍｍアンダーの中国産川
砂に対して１m2当たり２５ｋｇの、安価に入手した廃材の５０〜５００デニ
ール、３０〜５０ｍｍ長さに切断した繊維チップ５と、同じく廃材の０．５〜３ｍｍ厚さ
、１０〜１５ｍｍ幅、１０〜３０ｍｍ長さに切断したフェルトチップ６を５：５（重量％
）の割合で均一状に配合して、複数回に分けて均一状に施工面に撒き均してそれぞれトラ
クターで攪拌するとともに、均一状に散水してローラーで施工面を転圧してグランドを形
成してテストした。
【００３１】
その結果、馬場のグランドの排水性は良好で、芝の根がフェルトチップ、フェルト繊維
に絡まって芝の活着がよくなり、クッション性がよくなって、蹴上がりの少なくなり、馬
場のグリップ性も良好となり、従来に比して砂のメンテナンス供給量を大幅に減らせるこ
とが分かった。また、コストもフェルトチップ、フェルト繊維が廃材なので、安価で、従
来のものと十分に競合できるものであった。
【００３２】
なお、繊維チップ５とフェルトチップ６を予め所定の割合で均一状に配合したものを供
給できるようにしておけば、砂４への供給、攪拌が迅速かつ簡単になって施工しやすくで
きる。また、繊維チップ５とフェルトチップ６を白色ないし白色系のものを使用すると、
馬場の砂地色に違和感なくなじんで好ましくできる。
【００３３】
また、上記フェルトチップ６について、図２のように水を装填した浸漬槽に十分に浸漬
し、プレスで加圧してフェルトチップ６をほぼ３分の１に圧縮し、圧縮したフェルトチッ
プ６ほぐして、さらにもう１回程繰り返したフェルトチップ６を砂２に混入した。その結
果、馬場でフェルトチップ６が飛散するのを十分に防止でき、砂２との絡みがよくなって
好ましい状態であった。そのため、１〜数ケ月位で良好な馬場が形成できる。
【００３４】
上記では、繊維チップとフェルトチップを３〜５：７〜５として配合したが、上記した
本発明の趣旨にもとづいて季節や状況に応じて±５％位の適宜の変更が可能であり、また
いろいろな競馬場、乗馬練習場、馬術場、サッカー場、野球場、道路脇の法面などその他
に応じた最適な配合として実施することができるものである。
【図面の簡単な説明】
【００３５】
【図１】本発明の一実施例の馬場説明用断面図、
【図２】フェルトチップのプレス、ほぐし例の説明用ブロック図、
【図３】同上のプレス装置の一実施例の一部省略した説明用断面図。
【符号の説明】
【００３６】
１…グランド      ４…砂      ５…繊維チップ      ６…フェルトチップ
【図１】
0004764708.tif 000003
【図２】
0004764708.tif 000004
【図３】
0004764708.tif 000005